(57)【要約】【課題】  映像音声再生装置に関し、組立性と携帯性に優れ、薄型軽量化を実現でき、視聴者の使用シーンに合わせ、映像音声再生時と音声再生時をコンパクトな状態で使い分けることができ、音響性能を損なわず、設置場所もとらず使い勝手に優れる。【解決手段】  モニタ表示部２とその裏面に再生手段を有したモニタ筺体部１と、モニタ筺体部１に回動保持部１１を介して設けられスピーカ部８を内包したスピーカケース９とを備え、スピーカケース９の開口部１０がモニタ筺体部１のモニタ表示部２のある面と再生手段３のある面とを向く姿勢との間で回動可能に保持されたものである。【選択図】    図１
2006135733.tif 000002
【特許請求の範囲】
【請求項１】
一面に映像信号を映像出力するモニタ表示部を有し、他面に記録媒体を収納しかつ記録媒体からの映像情報や音声情報を再生して映像信号や音声信号として出力する再生手段を有したモニタ筺体部と、
前記モニタ筺体部に回動保持部を介して設けられ、音声信号を音響出力するスピーカ部を内包し、一側面に開口部を有したスピーカケースとを備え、
前記開口部を形成した一側面が、前記モニタ筺体部の前記モニタ表示部のある一面と略同一方向を向く姿勢と、前記再生手段のある他面と略同一方向を向く姿勢との間で回動可能に、前記スピーカケースが前記回動保持部にて保持されていることを特徴とする映像音声再生装置。
【請求項２】
前記スピーカケースは一端において、前記回動保持部にて前記モニタ筺体部に回動可能に保持されていることを特徴とする請求項１に記載の映像音声再生装置。
【請求項３】
前記スピーカケースは両端において、前記回動保持部にて前記モニタ筺体部に回動可能に保持されていることを特徴とする請求項１に記載の映像音声再生装置。
【請求項４】
前記回動保持部に振動抑制手段を設けたことを特徴とする請求項１から請求項３のいずれかに記載の映像音声再生装置。
【請求項５】
前記モニタ筺体部はＦＭ帯域等のラジオ放送帯域の電波に変換した信号を無線で送信する送信器を有し、前記モニタ筺体部に対して着脱可能な２つ以上スピーカケースはそれぞれ前記送信器からの信号を受信する受信器を有したことを特徴とする請求項１から請求項４のいずれかに記載の映像音声再生装置。
【発明の詳細な説明】
【技術分野】
【０００１】
本発明は、少なくとも映像・音声情報が記録された記録媒体から映像・音声情報をモニタ画面にて再生・映像化し、スピーカにて音響化して出力する映像音声再生装置に関するものである。
【背景技術】
【０００２】
近年、ＤＶＤ−ビデオなどの映像・音声情報が記録された映像・音声記録媒体を室内・室外を問わず、どこでも再生し、かつＬＣＤモニタのような薄型大画面モニタで映像化して視聴できる持ち運びに便利な携帯型の映像音声再生装置や情報処理装置が注目され、種々提案されている（例えば、特許文献１，特許文献２および特許文献３参照）。
【０００３】
以下、従来の映像音声再生装置を図面を用いて簡単に説明する。
【０００４】
図９は、従来の映像音声再生装置の構成を示す斜視図である。装置本体１０１は、ディスク蓋１０２と、ディスクを載置し閉蓋後当該ディスクからの映像情報をスイッチの操作にて再生する再生手段１０３とを有する。１０４は、ディスクからの映像情報を映像化するモニタ部であり、装置本体１０１のヒンジ部１０５で回動保持されており、折りたたんで収納することが可能で携帯性にも優れている。装置本体１０１とモニタ部１０４との電気的な接続は、不図示のフレキシブル・プリンテッド・サーキット（以下、ＦＰＣと記述）やフレキシブル・フラット・ケーブル（以下、ＦＦＣと記述）等によって行われている。
【０００５】
１０６は、モニタ部１０４の下部に設けられたスピーカで、ディスクから再生された音声情報が音響出力される。また、後背面にはバッテリ（図示せず）が装着できるような構成になっており、そこからも電源の供給を行うことができる。装置本体１０１には、電源スイッチ１０７、音量つまみ１０８、ヘッドホンジャック１０９、直流電源入力端子１１０が構成され、大画面、大音響を楽しむために、映像音声再生装置から外部のＴＶモニタに映像信号を、ステレオアンプに音声信号を各々出力するための映像外部出力端子１１１と音声外部出力端子１１２が設けられている。
【０００６】
このように構成された映像音声再生装置の動作について説明する。
【０００７】
装置本体１０１を平らな机上に載置し、モニタ部１０４を回動させ、モニタ画面を視認しやすい位置に固定し、ディスク蓋１０２を開けて記録媒体を再生手段１０３にセットし、操作スイッチを操作することで、記録媒体の再生映像や音声を視聴することができる。この時、従来の映像音声再生装置では、スピーカ１０６がモニタ画面と同一面でかつ下部に設けてあるので、視聴者がまっすぐモニタ画面を見るように回動角度を調節すると、モニタ画面の視認方向とスピーカ１０６の発音指向方向とを略同じにすることができ、音響性能を損なうことがない。また、一人で記録媒体の再生映像や音声を楽しみたいときには、ヘッドホンをヘッドホンジャック１０９に接続することで、スピーカ１０６からの音声が出力されないので周囲に騒音を出さない。
【特許文献１】特開２００１−２５６７６８号公報
【特許文献２】特開２００１−２９０５５９号公報
【特許文献３】特願平６−３０９８５４号公報
【発明の開示】
【発明が解決しようとする課題】
【０００８】
しかしながら、従来の映像音声再生装置では、記録媒体を再生する装置本体１０１と映像出力するモニタ部１０４が分離した折りたたみ式のものが主流であり、携帯型とはいえ非常にかさばるという問題があった。
【０００９】
また、音声のみの記録媒体の再生を楽しむ時には、スピーカ１０６がモニタ部１０４と同一面にあるため、モニタ部１０４を閉じてしまうと音がこもってしまい、映像情報をモニタ画面に表示しなくても、モニタ部１０４を開けた状態で使わなければならなかった。また、装置本体１０１側にスピーカがある場合でも、同様に音がこもらないようにモニタ部１０４を開けた状態で使わなければならず、しかも使用者に対して相対する位置にスピーカがなく、発音指向方向が異なり、音響性能が十分発揮できないという問題があった。
【００１０】
さらに、折りたたみ式の構成を考慮すると、モニタ部１０４もしくは装置本体１０１と同程度の厚みでスピーカ１０６を構成しなければならず、特にスピーカ１０６を共鳴させるスピーカケースの設計自由度が低くなり、優れた音響特性を実現することが難しく、限られた音声出力のものしか得られないという問題があった。
【課題を解決するための手段】
【００１１】
本発明の映像音声再生装置は、一面に映像信号を映像出力するモニタ表示部を有し、他面に記録媒体を収納しかつ記録媒体からの映像情報や音声情報を再生して映像信号や音声信号として出力する再生手段を有したモニタ筺体部と、前記モニタ筺体部に回動保持部を介して設けられ、音声信号を音響出力するスピーカ部を内包し、一側面に開口部を有したスピーカケースとを備え、前記開口部を形成した一側面が、前記モニタ筺体部の前記モニタ表示部のある一面と略同一方向を向く姿勢と、前記再生手段のある他面と略同一方向を向く姿勢との間で回動可能に、前記スピーカケースが前記回動保持部にて保持されていることを特徴とするものである。
【００１２】
前記スピーカケースは一端において、前記回動保持部にて前記モニタ筺体部に回動可能に保持されていている。あるいは、前記スピーカケースは両端において、前記回動保持部にて前記モニタ筺体部に回動可能に保持されていてもよい。
【００１３】
前記回動保持部に振動抑制手段を設けてもよい。
【００１４】
前記モニタ筺体部はＦＭ帯域等のラジオ放送帯域の電波に変換した信号を無線で送信する送信器を有し、前記モニタ筺体部に対して着脱可能な２つ以上スピーカケースはそれぞれ前記送信器からの信号を受信する受信器を有していてもよい。
【００１５】
本発明の映像音声再生装置によると、モニタ筺体部の両面にそれぞれモニタ表示部と再生手段が設けられており、モニタ表示部と再生手段を一体化することで組立性と携帯性を向上し、薄型軽量化を実現することができる。また、モニタ筺体部に回動保持部を介してスピーカ部を内包したスピーカケースが保持されており、外付けであることからスピーカケースの容量を従来のものに比べて大きくすることができ、簡単な設計で出力の大きい音響特性を得ることができる。さらに、スピーカケースを回動して、開口部を形成した一側面が、モニタ筺体部のモニタ表示部のある一面と略同一方向を向く姿勢と、再生手段のある他面と略同一方向を向く姿勢にすることができ、映像音声再生時と音声再生時との使い分けがコンパクトな状態で可能であり、発音指向方向を視聴者の最適な方向に向けることができる。このように、使用シーンにあった視聴スタイルを自由に選択することができ、音響性能も損なわず、設置場所もとらない使い勝手のよい映像音声再生装置を提供することができる。
【００１６】
また、スピーカケースが一端において、回動保持部にてモニタ筺体部に回動可能に保持されている場合、モニタ筺体部とは別体でスピーカケースが形成されており、スピーカ部の振動やビビリ音が直接モニタ筺体部に伝わらず、部品点数も少なくでき、回動の自由度も優れる。
【００１７】
また、スピーカケースが両端において、回動保持部にてモニタ筺体部に回動可能に保持されている場合、回動の自由度は制限されるが、回動保持部にかかる負担を軽減し、携帯時にも不安定にならない。
【００１８】
また、回動保持部に振動抑制手段を設けることで、スピーカ部によるモニタ筺体部への振動の伝達を低減し、かつ、回動保持部の耐久性能を向上させることができる。
【００１９】
さらに、モニタ筺体部に送信器を設け、着脱可能な２つ以上のスピーカケースに受信器を設けたので、着脱される対のスピーカ部でステレオ音声信号を音響出力し、モニタ筐体部に備えるスピーカで低音信号を音響出力することにより、よりＨｉ−ｆｉな映像音声再生装置を実現することができる。また、室内や車載時などの狭い空間でスピーカケースを任意の位置に設置して、わずらわしい配線処理のないワイヤレス環境で５．１ｃｈなどの音場を提供することができる。
【発明の効果】
【００２０】
本発明は、組立性と携帯性に優れ、薄型軽量化を実現でき、視聴者の使用シーンに合わせ、映像音声再生時と音声再生時をコンパクトな状態で使い分けることができ、音響性能を損なわず、設置場所もとらない使い勝手のよい映像音声再生装置を提供することができる。
【発明を実施するための最良の形態】
【００２１】
（実施の形態１）
本発明の実施の形態１を、図１から図４の図面を参照しながら説明する。
【００２２】
図１はモニタカバーを開けた状態の映像音声再生時の映像音声再生装置の斜視図、図２はディスク蓋開時の映像音声再生装置の斜視図、図３はモニタカバーを閉じた状態の音声再生時の映像音声再生装置の斜視図、図４はモニタカバーの動作状態を示す映像音声再生装置の概略図である。
【００２３】
１は略直方体の形状をしたモニタ筺体部で、記録媒体からの映像情報を映像化するモニタ表示部２と、モニタ表示部２の背面に位置し記録媒体からの映像情報や音声情報を再生する再生手段３と、再生手段３と記録媒体を収納保護するディスク蓋４が一体に構成されている。
【００２４】
モニタ筺体部１には、ヒンジ部６にて回動保持されて開閉するモニタカバー５が設けられている。モニタカバー５は、モニタ筺体部１に対して略３６０度回動可能となっており、例えば、図４に示すように、ヒンジ部６はモニタ筺体部１とモニタカバー５にそれぞれ軸６ａ，６ｂにて回動可能に設けられたリンク６ｃにて構成されている。
【００２５】
モニタカバー５の両面の四隅には突起７が設けられており、映像音声再生時には、モニタ表示部２を使用者が視認しやすい位置に固定する脚部として機能する。また、音声再生時には、モニタカバー５はモニタ表示部２を保護し、突起７はモニタ表示部２との直接接触を防止するスペーサとして機能する。
【００２６】
８はスピーカ部であり、モニタ表示部２の左右にモニタ筺体部１と同じ厚みのスピーカケース９に収納されている。スピーカケース９の一側面には多数の開口部１０が形成されており、一端において回動保持部１１にてモニタ筺体部１に保持されている。スピーカケース９は、開口部１０が、モニタ筺体部１のモニタ表示部２のある一面と略同一方向を向く姿勢と、再生手段３のある他面と略同一方向を向く姿勢との間で回動可能に保持されている。
【００２７】
１２はスイッチ群であり、映像音声再生時に、記録媒体の再生・停止・早送りや記録媒体に記録されている情報の内容・目次などをモニタ表示部２に表示するものである。１３は端子群であり、ヘッドホン端子、外部電源入力端子、映像信号外部出力端子、音声信号外部出力端子などが配置されている。１４はスイッチ群であり、音声再生時に、記録媒体の再生・停止・早送り等を行うものである。
【００２８】
以上のように構成された映像音声再生装置について、以下その動作について説明する。
【００２９】
まず、図１に示すように、映像音声再生時には、ヒンジ部６を支点として、モニタカバー５をモニタ筺体部１から回動して開け、モニタカバー５の突起７を脚部として視認しやすい位置に固定し、平板などの机上に載置したり、壁などに取り付けたりする。次に、モニタ表示部２の背面にあるディスク蓋４を開蓋し、記録媒体を再生手段３に載置してディスク蓋４を閉じ、スイッチ群１２の操作によって記録媒体を再生することができる。記録媒体からの映像情報が再生されてモニタ表示部２に映し出され、また音声情報がスピーカ部８からスピーカケース９の開口部１０を通して音響出力される。この時、スピーカケース９の開口部１０は回動保持部１１を操作することでモニタ表示部２の面に位置するように設置することができ、視聴者との発音指向方向が一致し、十分な音響性能を確保することができる。
【００３０】
また、図２に示すように、音声再生時には、モニタカバー５をモニタ表示部２側に回動させて、モニタ表示部２が底になるように載置する。この時、回動保持部１１を操作することで、モニタ表示部２の面に位置していたスピーカケース９の開口部１０がディスク蓋４側の面に位置するように回動させ、スピーカ部８からの音響出力を十分なものにすることができる。モニタカバー５の閉時には、突起７がモニタ表示部２との直接接触を防止するスペーサの役割を果たす。
【００３１】
このように構成された映像音声再生装置によると、モニタ筺体部１の両面にそれぞれモニタ表示部２と再生手段３が設けられており、モニタ表示部２と再生手段３を一体化することで組立性と携帯性を向上し、薄型軽量化を実現することができる。
【００３２】
また、モニタ筺体部１に回動保持部１１を介してスピーカ部８を内包したスピーカケース９が保持されており、外付けであることからスピーカケース９の容量を従来のものに比べて大きくすることができ、簡単な設計で出力の大きい音響特性を得ることができる。しかも、モニタ表示部２と再生手段３が一体となっているため、従来よりも厚み方向にスピーカケース９のキャパシティを大きくすることができるため、スピーカの音響設計の自由度が増し、より高い音響特性を実現することができる。
【００３３】
また、スピーカケース９は一端において、回動保持部１１にてモニタ筺体部１に回動可能に保持されており、モニタ筺体部１とは別体でスピーカケース９が形成されており、スピーカ部８のアナログ音響信号再生の振動やビビリ音が直接モニタ筺体部１に伝わらず、ピックアップやディスク振動などへの直接的な影響はなく、部品点数も少なくでき、回動の自由度も優れる。
【００３４】
さらに、スピーカケース９を回動して、開口部１０が、モニタ筺体部１のモニタ表示部２のある一面と略同一方向を向く姿勢と、再生手段３のある他面と略同一方向を向く姿勢にすることができ、映像音声再生時と音声再生時との使い分けがコンパクトな状態で可能であり、発音指向方向を視聴者の最適な方向に向けることができる。このように、使用シーンにあった視聴スタイルを自由に選択することができ、音響性能も損なわず、設置場所もとらない使い勝手のよい映像音声再生装置を提供することができる。
【００３５】
なお、図５ないし図７に、実施の形態１の映像音声再生装置のスピーカ保持構造の各種変形例を示す。
【００３６】
図５に示す映像音声再生装置は、スピーカケース９を保持する回動保持部１１がスピーカケース９の一端のみに設けられているものである。この例では、両スピーカケース９は、開口部１０のある面がモニタ表示部２のある面と再生手段３のある面と略同一方向を向くようにＸ軸に対して略１８０度（矢印Ｘ1参照）、モニタ筺体部１の側面に収納される寝姿勢と直角に立ち上がる立姿勢との間でＹ軸に対して略１８０度（矢印Ｙ1参照）、立姿勢でＺ軸に対して略３６０度（矢印Ｚ1参照）の角度でそれぞれ調整可能な機構にて構成されている。これにより、発音指向方向を視聴者の好みに合わせて設定することができ、スピーカケース９の回動方法の自由度が向上する。
【００３７】
図６に示す映像音声再生装置は、スピーカケース９を保持する回動保持部１１がスピーカケース９の側面に設けられているものである。この例では、スピーカケース９は、Ｙ軸に対して略３６０度（矢印Ｙ2参照）の角度で調整可能な機構にて構成されており、発音指向方向を視聴者の好みに合わせて設定することができる。
【００３８】
図７に示す映像音声再生装置は、スピーカケース９を保持する回動保持部１１がスピーカケース９の両端に設けられているものである。この例では、スピーカケース９は、開口部１０のある面がモニタ表示部２のある面と再生手段３のある面と略同一方向を向くようにＸ軸に対して略１８０度（矢印Ｘ2参照）の角度で調整可能な機構にて構成されており、発音指向方向を視聴者の好みに合わせて設定することができ、しかもスピーカケース９の保持状態を確実なものにでき、回動保持部１１にかかる負担を軽減し、携帯時の不安定さを解消することができる。
【００３９】
さらに、図５から図７に示すように、スピーカケース９を保持する回動保持部１１のモニタ筐体部１側に振動抑制手段１５を設けてもよい。振動抑制手段１５としては、ゴム等の弾性体や油圧ダンパ等が適している。これにより、スピーカ部８の磁気回路を強くしたり、スピーカケース９のキャパシティを大きくして、より大きい出力を得ようとした時に生じるスピーカ部８のコーン振動によるビビリやスピーカケース９の共振等が発生して、記録媒体の音飛びが発生するという問題を解決することができる。また、回動保持部１１の振動に対する耐久性能も向上することができ、スピーカケース９をより大口径、大型のものにすることができる。なお、振動抑制手段１５は、スピーカケース９側に設けても同様の効果を得ることができる。
【００４０】
（実施の形態２）
本発明の実施の形態２を、図８の図面を参照しながら説明する。
【００４１】
図８は映像音声再生装置の斜視図であり、実施の形態１と同一部分は同一符号を付してその説明を省略する。
【００４２】
本実施の形態２は、モニタ筐体１内にＦＭ帯域等のラジオ放送帯域の電波に変換した信号を無線で送信できる送信器１６が設けられている。
【００４３】
また、スピーカケース９は、モニタ筐体１に対して着脱可能に設けられており、視聴者の任意の位置に設置することができる。スピーカケース９内には、送信器１６からの信号を受信する受信器１７が設けられている。
【００４４】
さらに、モニタ筐体部１には、モニタ表示部２の下部においてスピーカ部１８が設けられている。なお、スピーカ部１８のモニタ筐体部１に対する着脱の有無は問わない。
【００４５】
以上のように構成された映像音声再生装置について、以下その動作について説明する。
【００４６】
映像音声再生時および音声再生時については、基本的に実施の形態１と同様である。例えば、映像音声再生時には、ヒンジ部６を支点として、モニタカバー５をモニタ筺体部１から回動して開け、モニタ表示部２を視認しやすい位置にて保持し、平板などの机上に載置したり、壁などに取り付けたりする。また、スピーカケース９がモニタ筐体部１から着脱可能であるため、スピーカケース９を取り外して回動保持部１１に予め固設された台座１９にて視聴者の好みの位置に設置することができる。次に、モニタ表示部２の背面にあるディスク蓋４を開蓋し、記録媒体を再生手段３に載置してディスク蓋４を閉じ、スイッチ群１２の操作によって記録媒体を再生することができる。記録媒体からの映像情報が再生されてモニタ表示部２に映し出され、また音声情報はＦＭ帯域等のラジオ放送帯域の電波に変換し、その信号を無線で送信できる送信器１６からスピーカケース９内部にある受信器１７へ飛ばし、スピーカ部８からスピーカケース９の開口部１０を通して音響出力される。
【００４７】
このように構成された映像音声再生装置においても、前記実施の形態１に記載の効果と同様の効果が得られる。
【００４８】
さらに、モニタ筺体部１に送信器１６を設け、着脱可能な２つ以上のスピーカケース９に受信器１７を設けたので、着脱される対のスピーカ部８でステレオ音声信号を音響出力し、モニタ筐体部１に備えるスピーカ部１８で低音信号を音響出力することにより、よりＨｉ−ｆｉな映像音声再生装置を実現することができる。また、室内や車載時などの狭い空間でスピーカケース９を任意の位置に設置して、わずらわしい配線処理のないワイヤレス環境で５．１ｃｈなどの音場を提供することができる。
【００４９】
前記各実施の形態においては、記録媒体として円盤状の記録媒体の例を示したが、必ずしもこれに限るものではなく、ＤＶカセットなどのテープ状記録媒体、板状記憶素子などの薄型記録媒体でも同様の構成が可能であることはいうまでもない。また、記録媒体の取り付けについては、ディスク蓋による収納保護が可能である例を示したが、ディスク蓋のないスライド挿入構成や、自動ローディング構成についても同様の効果が得られる。
【産業上の利用可能性】
【００５０】
本発明は、ＤＶＤ−ビデオ等の映像情報が記録された映像記録媒体を再生し、かつＬＣＤモニタのような薄型モニタで映像化して視聴できる映像音声再生装置として有用である。
【図面の簡単な説明】
【００５１】
【図１】本発明の実施の形態１における映像音声再生装置の映像音声再生時の斜視図
【図２】本発明の実施の形態１における映像音声再生装置のディスク蓋開時の斜視図
【図３】本発明の実施の形態１における映像音声再生装置の音声再生時の斜視図
【図４】本発明の実施の形態１における映像音声再生装置のモニタカバーの動作状態を示す概略図
【図５】本発明の実施の形態１における映像音声再生装置のスピーカ保持構造の変形例の斜視図
【図６】本発明の実施の形態１における映像音声再生装置のスピーカ保持構造の変形例の斜視図
【図７】本発明の実施の形態１における映像音声再生装置のスピーカ保持構造の変形例の斜視図
【図８】本発明の実施の形態２における映像音声再生装置の映像音声再生時の斜視図
【図９】従来の映像音声再生装置の斜視図
【符号の説明】
【００５２】
１  モニタ筐体部
２  モニタ表示部
３  再生手段
４  ディスク蓋
５  モニタカバー
６  ヒンジ部
７  突起
８，１８  スピーカ部
９  スピーカケース
１０  開口部
１１  回動保持部
１２，１４  スイッチ群
１３  端子群
１５  振動抑制手段
１６  送信器
１７  受信器
【図１】
2006135733.tif 000003
【図２】
2006135733.tif 000004
【図３】
2006135733.tif 000005
【図４】
2006135733.tif 000006
【図５】
2006135733.tif 000007
【図６】
2006135733.tif 000008
【図７】
2006135733.tif 000009
【図８】
2006135733.tif 000010
【図９】
2006135733.tif 000011